(57)【特許請求の範囲】
【請求項１】
サッシ枠（１）の引き戸走行方向一方略半分に出入り区間（Ｈ）を、他方に引き戸（４）の格納区間（Ｔ）を設け、サッシ上枠材（１１）に引き戸（４）を走行自在に吊下げ、引き戸（４）の走行にて出入区間（Ｈ）を開閉する出入口用サッシであって、引き戸の下端部を嵌挿して案内する溝（２０）をサッシ下枠材（１２）の室内側に形成し、サッシ下枠材（１２）の出入区間（Ｈ）に、前記溝（２０）の室外側を構成する下枠材レール（２２）より室外に向けて下降傾斜する踏板（６）を脱着可能に嵌挿した出入口用サッシ。
【請求項２】
サッシ枠（１）の引き戸走行方向一方略半分に出入区間（Ｈ）を、他方に格納区間（Ｔ）を設け、出入区間（Ｈ）の室外側に内枠（３）を挿入固定すると共に、格納区間（Ｔ）の室外側に遮蔽体（７）を取付けてあり、踏板は、軽金属材より押出し成形され、室内側に下向溝（６ｄ）を、室外側に水切片（６ｃ）を有し、傾斜した板体（６ａ）の表面には滑り止め（６ｂ）を形成してあり、下向溝（６ｄ）を下枠材のレール（２２）に嵌合係止するとともに、水切片（６ｃ）を内枠下部材の室外側先部に形成した係合部（２ｈ）に挿入係止して取付けてあり、下枠材レール（２２）に排水口（２３）を、踏板（６）の水切片（６ｃ）に排水孔（１６）を設けてある請求項１記載の出入口用サッシ。
【発明の詳細な説明】
【０００１】
【産業上の利用分野】
この発明は、引き戸を走行して開閉する出入口用サッシに関するものである。
【０００２】
【従来の技術】
家屋の出入口に取付ける玄関サッシや勝手口サッシ、或いは浴室の出入口に取付ける浴室サッシ（以下、これらを出入口用サッシと称する）として、サッシ枠に複数の障子嵌挿部を設け、各嵌挿部に障子を嵌挿する引違い式サッシと、サッシ枠の一方に障子格納部を設け、格納部より障子を出入れする片引き式サッシが知られているし、障子の代わりに引き戸を嵌挿したり、引き戸を吊下げ式に嵌挿するサッシも知られている。（例えば実開昭５４−１４８３４０  号公報、実開昭５５−２２４９６号公報、実開昭６０−１９１６７４  号公報）
【０００３】
【発明が解決しようとする課題】
障子を引違い式に嵌挿する出入口サッシにあっては、下枠材に障子走行用のレールを数条突出しているため、車椅子で出入する際、レールの間に車椅子の車輪が嵌まり込む問題点があった。
また障子を片引き式に嵌挿したり、引き戸を吊下げ式に嵌挿する出入口サッシにあっては、レール間に車椅子の車輪が嵌まり込むことはないが、内部と外部の間に段差があるため、車椅子で出入することが困難な問題点があった。
【０００４】
持手は引き戸の中間高さに取付けられ、しかも手指が挿入し得る程度に突出するのみであるため、車椅子から持手を把握することができないし、小児も持手を把握できない問題点があった。
そこでこの発明は、従来技術の有するこのような問題点に鑑みてなされたものであり、その目的とするところは、車椅子から簡単に引き戸が開閉できて、しかも車椅子による出入も容易な出入口用サッシを提供することにある。
【０００５】
【課題を解決するための手段】
上記目的を達成するために、本発明の出入口用サッシは、サッシ枠の引き戸走行方向一方略半分に出入り区間を、他方に引き戸の格納区間を設け、サッシ上枠材に引き戸を走行自在に吊下げ、引き戸の走行にて出入区間を開閉する出入口用サッシであって、引き戸の下端部を嵌挿して案内する溝をサッシ下枠材の室内側に形成し、サッシ下枠材の出入区間に、前記溝の室外側を構成する下枠材レールより室外に向けて下降傾斜する踏板を脱着可能に嵌挿したことを特徴とする。さらに本発明は、出入り区間の室外側に内枠を、格納区間の室外側に遮蔽体を取付け、下枠材レールに排水口を、踏板の水切片に排水孔を設けること、引き戸の戸当框に枠幅より室内外に突出し、框枠の下部まで達する持手を取付けることを特徴とする。
【０００６】
【作用】
サッシ下枠材の出入区間に、下枠材レールより室外に向けて下降傾斜する踏板を嵌挿するものであるから、車椅子の出入に支障がない。また引き戸の戸当框に取付ける持手が、枠幅より室内外に突出し、しかも框枠の下部まで達するので、車椅子から引き戸を開閉走行し得る。
踏板の水切片に排水孔が穿設されているので、サッシ枠に吹込む雨水が下枠材に溜ることがないし、踏板を取外すことにより、下枠材を掃除し得る。
【０００７】
【実施例】
まず本発明による出入口用サッシの構造を図１乃至図３に基づき説明すれば、サッシ枠１の略左半分に出入区間Ｈを、略右半分に格納区間Ｔを設け、出入区間Ｈの室外側に内枠３を、格納区間Ｔの室外側に遮蔽体７を取付け、サッシ上枠材１１の室内側に引き戸４を吊下げ、サッシ下枠材１２の出入区間Ｈに、下枠材１２より室外に向けて下降傾斜する踏板６を脱着可能に嵌挿し、格納区間Ｔの室外側に外装Ｗを施すものである。
サッシ枠１は図４（Ａ）と図５（Ａ）の如く、上枠材１１と下枠材１２、及び左右縦枠材１３，１４より構成するか、更に縦枠材１３，１４の間に方立１５を直立するものである。
【０００８】
上枠材１１は内周側の中央部に下向溝1aを設け、下向溝1aより室内側に支持壁を垂下し、該支持壁1bの室内側にレール２１を一体に設け、上枠材１１の室内側に図１０の如く支持壁1bと相対する内側壁１８を取付け、支持壁1bと内側壁１８の間に引き戸４上部の収容部２８を形成するものである。
下枠材１２は内周側に室内側より室外側に向けて低くなる段状部２を設け、該段状部２の上段壁2aに上枠材１１のレール２１に対応するレール２２を一体に設け、該レール２２に排水口２３を適宜穿設し、上段壁2aより室外側に延長壁2cを突出し、延長壁2cの先に係合部2dを形成するものである。また下枠材は、引き戸の下端部を嵌挿して案内する溝２０を室内側に形成してあり、下枠材レール２２が溝２０の室外側を構成している。
【０００９】
左縦枠材１３は上下枠材１１，１２と同幅を成す中空部3aの室外側に、内周向きに突出する内向片3bを設けている。
右縦枠１４は中空部4aの室内側に、上枠材１１の引き戸収容部２８に対応する内向溝4bを形成している。
方立１５は引き戸嵌挿部２８より室外側に取付けるもので、室内側に煙返し5aを設け、左縦枠材１３の内向片3bと相対する内向片5bを設けている。
【００１０】
引き戸４は図４（Ｂ）と図５（Ｂ）の如く、上框４１と下框４２、及び召合框４３と戸当框４４より框枠４０を構成し、召合框４３の室外側に方立１５の煙返し５ａに係止する煙返し３ｅを設け、框枠４０の内部にガラスＧを嵌挿し、框枠４０の上部左右に吊下げ式の戸車２４を取付ける一方、框枠４０の下端に振止め２５と気密材２６を取付け、戸当框４４に持手８を取付けるもので、持手８は枠幅Ｓより室内外に突出し、通常の高さから框枠４０の下部、例えば框枠４０の下端より５０ｃｍ程度まで取付ける。
【００１１】
内枠３は図６（Ａ）と図７の如く、上部材３１と下部材３２、及び左右縦部材３３，３４より構成するもので、上部材３１は水平片１ｅと、その外縁より外周側に折返す外側片１ｆにビスポケット１ｇを設け、下部材３２は室外に向けて下降傾斜する上段片２ｅと、先部に係合部２ｈを有する下段片２ｆにビスポケット２ｇを設け、縦部材３３は水平片３ｅの外縁に外側片３ｆを設け、縦部材３４は縦部材３３と対称形状を成し、上部材３１と下部材３２のビスポケット１ｇ，２ｇを利用して左右に縦部材３３，３４を組立てるものである。
下部材３２は下枠材１２の下段壁２ｂと外装用骨材Ｂに跨がって載置し、上段片２ｅの内縁部を下枠材１２の延長壁係合部２ｄに接合する。
【００１２】
この内枠３は、室外側よりサッシ枠１の出入区間Ｈに挿入し、上部材３１の水平片１ｅを上枠材１１の室外側に重ね、これをビス止め固定する一方、下部材３２を下枠材１２の下段壁２ｂと外装用骨材Ｂに跨がって載置し、且つ上段片２ｅの先を下枠材１２の延長壁係合部２ｄに係止し、左縦部材３３の水平片３ｅを方立１５の室外側に、右縦部材３４を右縦枠材１４の室外側に重ね、これをビス止め固定するものである。
【００１３】
踏板６は図８の如く、板体６ａの室内側に下枠材１２のレール２２に嵌合する下向溝６ｄを設け、板体６ａの室外側に水切片６ｃを垂下し、板体６ａの表面に滑り止め６ｂを設け、水切片６ｃに排水孔１６を穿設するもので、水切片６ｃの先端を内枠下部材３２の係合部２ｈに挿入係止し、下向溝６ｄをレール２２に弾力的に嵌合係止するものである。
踏板６は、サッシ枠１を構成する各枠材１１，１２，１３，１４と方立１５、内枠３を構成する各部材３１，３２，３３，３４、及び框枠４０を構成する各框４１，４２，４３，４４と同様に、軽金属材より押出し成形するものである。
【００１４】
格納区間Ｔに取付ける遮蔽体７は図１１の如く、方立１５と左縦枠材１３の間に取付ける横材１７と、該横材１７にビス止めする化粧板２７から構成するものである。
この遮蔽体７を格納区間Ｔに取付ける場合、予め図６（Ｂ）の如く下枠材１２の格納区間Ｔの延長壁２ｃと下段壁２ｂに補助体９を跨がって取付け、該補助体９と上枠材１１の下向溝１ａ、及び左縦枠材１３の内向片３ｂと方立１５の内向片５ｂを利用して遮蔽体７を取付けるものである。
【００１５】
本発明の出入口用サッシは上記構造であるから、従来通りにサッシ枠１と引き戸４を組立て、サッシ枠１の格納区間Ｔに遮蔽体７を取付け、出入区間Ｈに応じた大きさの内枠３を組立てておき、まずサッシ枠１を取付け、該サッシ枠１の出入区間Ｈに室外側より内枠３を挿入し、これを取付けると共に、格納区間Ｔに遮蔽体７を取付け、遮蔽体７の室外側まで外装Ｗを施す。
次にサッシ上枠材１１のレール２１に引き戸４を吊下げ、上枠材１１のレール２１及び下枠材１２の溝２０に沿って走行自在となした後、上枠材１１の室内側に内側壁１８を取付け、サッシ下枠材１２の出入区間Ｈに図９の如く踏板６を嵌合係止する。
【００１６】
サッシ枠１に雨水が吹込み、その一部がサッシ下枠材１２のレール２２より室内側に溜った場合、その雨水はレール２２の排水口２３より上段壁2aの室外側に流れ、上段壁2aに連続する延長壁2cより内枠３の下部材３２に流れ落ち、室外側に傾斜する下部材３２に沿って流れ、下部材３２の係合部2hに係止する踏板水切片6cの排水孔１６より外部に排水する。
サッシ下枠材１２の溝２０に異物が溜った場合、踏板６を取外し、異物を外部に掃き出す。
【００１７】
尚、本発明による出入口用サッシは上記実施例に限定されるものではなく、例えば格納区間Ｔの室外側に障子を嵌め殺しに取付けても同様の目的を達成する。また浴室の出入口に本発明サッシを取付ける場合、引き戸４の嵌挿側を脱衣場に向け、踏板６の傾斜側を浴室内に向けて取付ける。更にサッシ枠１と内枠３、及び引き戸４の組立て手順、並びに内枠３の取付けと、引き戸４の吊下げ手順は、本発明の要旨に反しない限り適宜変更可能である。
【００１８】
【発明の効果】
本発明による出入口用サッシは上記構造のとおりであるから、次に記載する効果を奏する。
サッシ下枠材の出入区間に、下枠材レールより室外に向けて下降傾斜する踏板を嵌挿するものであるから、車椅子の出入にも支障がない。また引き戸の戸当框に取付ける持手が枠幅より室内外に突出し、しかも框枠の下部まで達するので、車椅子から持手を把握して引き戸を簡単に開閉走行し得る。
【００１９】
下枠材レールに排水口を、踏板の水切片に排水孔を穿設しているので、サッシ枠に吹込む雨水が下枠材に溜ることがないし、出入区間に嵌挿する踏板を取外せば、下枠材に溜る異物を簡単に掃除し得る。しかも踏板は工具を用いずに着脱し得るので、その取扱いも簡便である。
本発明の出入口用サッシは、家屋の出入口に取付ける玄関サッシや勝手口サッシ、或いは浴室の出入口に取付ける浴室サッシとして最適である。
【図面の簡単な説明】
【図１】本発明出入口用サッシの使用例を示す横断面図である。
【図２】出入区間の縦断面図である。
【図３】格納区間の縦断面図である。
【図４】（Ａ）（Ｂ）
サッシ枠と框枠の縦断面図である。
【図５】（Ａ）（Ｂ）
サッシ枠と框枠の横断面図である。
【図６】（Ａ）（Ｂ）
内枠の縦面図と補助体の取付例を示す側面図である。
【図７】内枠の横断面図である。
【図８】踏板の斜視図である。
【図９】踏板の嵌挿例を示すサッシ枠の要部横断面図である。
【図１０】内側壁の取付例を示すサッシ枠の要部縦断面図である。
【図１１】遮蔽体の取付例を示す要部横断面図である。
【符号の説明】
１  サッシ枠
１１  上枠材、１２  下枠材、１３，１４  縦枠材、１５  方立
２  段状部
３  内枠
４  引き戸、４０  框枠
６  踏板
７  遮蔽体
８  持手
９  補助体
１６  排水孔、１８  内側壁
２０  溝、２１，２２  レール、２８  引き戸収容部
２４  戸車、２５  振止め、２６  気密材、２８  引き戸収容部
Ｈ  出入区間、Ｔ  格納区間
Ｓ  サッシ枠幅
Ｇ  ガラス、Ｗ  外装、Ｂ  外装用骨材
【図１】
0003561552.tif 000002
【図２】
0003561552.tif 000003
【図３】
0003561552.tif 000004
【図４】
0003561552.tif 000005
【図５】
0003561552.tif 000006
【図６】
0003561552.tif 000007
【図７】
0003561552.tif 000008
【図８】
0003561552.tif 000009
【図９】
0003561552.tif 000010
【図１０】
0003561552.tif 000011
【図１１】
0003561552.tif 000012